(57)【要約】【課題】定量的に光源の調整を行うことができる光源調整装置を提供する。【解決手段】光源２の像を対物レンズ１０の瞳１０ａの位置に投影させるコレクタレンズ４を有するケーラー照明系を有し、コレクタレンズ４をフォーカス調整部３により光軸方向に移動させるとともに、コレクタレンズ４を介して光源２からの光が照射される試料１１からの光をＣＣＤカメラ１２で撮影し、この撮影した画像データから光強度を取り出し光量むらを演算部１３で演算し、この結果を表示部１４に表示する。【選択図】　　図１
2004021206.tif 000002
【特許請求の範囲】
【請求項１】
光源と、
前記光源からの光を集光するコレクタレンズを有するケーラー照明系と、
前記コレクタレンズを光軸方向に移動させるコレクタレンズ移動手段と、
前記コレクタレンズを介して前記光源からの光が照射される試料と、
前記試料からの光を撮影する撮像手段と、
前記撮像手段で取得された画像データから光強度を取り出し光量むらを演算する演算手段と、
前記演算手段の演算結果を表示する表示手段と
を具備したことを特徴とする光源調整装置。
【請求項２】
前記試料は、均一な蛍光を発する蛍光部材からなることを特徴とする請求項１記載の光源調整装置。
【請求項３】
光源と、
前記光源からの光を集光するコレクタレンズを有するケーラー照明系と、
前記コレクタレンズを光軸方向に電動駆動させるコレクタレンズ電動駆動手段と、
前記コレクタレンズを介して前記光源からの光が照射される試料と、
前記試料からの光を撮影する撮像手段と、
前記撮像手段で取得された画像データから光強度を取り出し光量むらを演算する演算手段と、を具備し、
前記演算手段の演算結果に基づいて前記コレクタレンズ電動駆動手段を制御し前記コレクタレンズの最適位置を設定することを特徴とする光源調整装置。
【発明の詳細な説明】
【０００１】
【発明の属する技術分野】
本発明は、顕微鏡などの照明光学系に適用される光源調整装置に関するものである。
【０００２】
【従来の技術】
ケーラー照明法は、光源の像を対物レンズの瞳に作り、光源の絞り（視野絞り）の像を標本上に結ばせるようにしたもので、明るく均一で、対物レンズの性能を十分に活かすことのできる照明法である。
【０００３】
ところで、このようなケーラー照明法を用いて標本の観察を行う場合、光源のフォーカス調整を行う必要である。
【０００４】
ここで、光源のフォーカス調整とは、光源の像が対物レンズの瞳上に投影された状態を得られるように、コレクタレンズの位置を調整することであり、このようなフォーカス調整を正確に行うことによって、最も明るく、しかもムラのない状態で標本観察を行うことが可能になる。
【０００５】
このように光源のフォーカス調整は、重要な作業であるが、一方で難しい作業でもあり、このため、従来から種々の調整方法が考えられている。
【０００６】
特開平１１−７２７１３号は、光源のフォーカス調整の一例を開示したもので、ランプとコレクタレンズを内蔵するハウジングに、コレクタレンズを光軸方向に移動させてランプのフォーカス調整をするフォーカス調整機構を設け、このフォーカス調整機構の調整つまみにフォーカス位置を示す目盛を設け、調整つまみを回転させ、指針を目盛に合わせるだけでフォーカス合焦位置へ調整できるようにしている。
【０００７】
【発明が解決しようとする課題】
ところが、このように構成したものは、フォーカス位置を示す目盛とコレクタレンズの位置関係を、予め精度よく決めておかなければならないが、ここでの位置関係の決定に人間による作業が入ってしまう。また、この作業には、作業者個人の主観が入るため、作業をする者の調整の違いによるばらつきが発生し易く、安定した調整が難しい。
【０００８】
また、設計値などから目盛とコレクタレンズの位置関係を算出したとしても、ランプやランプハウスの個体差をカバーすることができない。さらに、例え、コレクタレンズのフォーカス位置を正確に表す目盛りが付けられたとしても、ランプハウスの温度が上昇し、熱膨張などにより寸法が変化してしまった場合には、目盛とコレクタレンズの位置関係が変化してしまい、調整つまみにより指針を目盛に合わせるだけでは、正確な調整ができなくなるという問題を生じる。
【０００９】
本発明は、上記事情に鑑みてなされたもので、定量的に光源の調整を行うことができる光源調整装置を提供することを目的とする。
【００１０】
【課題を解決するための手段】
請求項１記載の発明は、光源と、前記光源からの光を集光するコレクタレンズを有するケーラー照明系と、前記コレクタレンズを光軸方向に移動させるコレクタレンズ移動手段と、前記コレクタレンズを介して前記光源からの光が照射される試料と、前記試料からの光を撮影する撮像手段と、前記撮像手段で取得された画像データから光強度を取り出し光量むらを演算する演算手段と、前記演算手段の演算結果を表示する表示手段とを具備したことを特徴としている。
【００１１】
請求項２記載の発明は、請求項１記載の発明において、前記試料は、均一な蛍光を発する蛍光部材からなることを特徴としている。
【００１２】
請求項３記載の発明は、光源と、前記光源からの光を集光するコレクタレンズを有するケーラー照明系と、前記コレクタレンズを光軸方向に電動駆動させるコレクタレンズ電動駆動手段と、前記コレクタレンズを介して前記光源からの光が照射される試料と、前記試料からの光を撮影する撮像手段と、前記撮像手段で取得された画像データから光強度を取り出し光量むらを演算する演算手段と、を具備し、前記演算手段の演算結果に基づいて前記コレクタレンズ電動駆動手段を制御し前記コレクタレンズの最適位置を設定することを特徴としている。
【００１３】
この結果、本発明によれば、算出した光量むらの演算結果を用いて、光源の調整を定量的に行うことができる。
【００１４】
また、本発明によれば、コレクタレンズの位置決めを光量むらの演算結果に基づいて自動的に行うことができ、光源の自動調整が可能である。
【００１５】
【発明の実施の形態】
以下、本発明の実施の形態を図面に従い説明する。
【００１６】
（第１の実施の形態）
図１は、本発明が適用されるＤＮＡチップの解析に用いられるワンボックスタイプの蛍光顕微鏡を用いたアレイリーダーの概略構成を示している。
【００１７】
図において、１ランプハウスで、このランプハウス１には、光源２が収容されている。この場合、光源２には、水銀ランプ、キセノンランプ、メタルハライドランプなどが用いられる。
【００１８】
ランプハウス１には、コレクタレンズ移動手段として、フォーカス調整部３が設けられている。フォーカス調整部３には、筒状のレンズ保持部３ａが設けられ、このレンズ保持部３ａの中空部にコレクタレンズ４が保持されている。
【００１９】
レンズ保持部３ａは、つまみ部３ｂを有している。つまみ部３ｂを回転させると、この回転に応じてコレクタレンズ４が光軸方向に移動し、この移動により光源２のフォーカス調整を可能にしている。この場合、つまみ部３ｂには、例えば偏心カムが取り付けられていて、このつまみ部３ｂの回転とコレクタレンズ４の光軸方向の移動の関係は、つまみ部３ｂが１回転（３６０°）する間に、コレクタレンズ４を所定距離前進させるとともに、同じ距離だけ後退させるようになっている。
【００２０】
光源２より発せられた光は、コレクタレンズ４を通って平行光に変換され、シャッタ５、リレーレンズ系６、ＡＳ（開口絞り）１６、ＦＳ（視野絞り）１７を介して励起フィルタ７に入射される。
【００２１】
励起フィルタ７は、試料１１の蛍光を励起するための励起光のみを取り出すものである。この励起フィルタ７で取り出された励起光は、ダイクロイックミラー８により反射され、対物レンズ１０を介して試料１１に照射される。
【００２２】
また、励起光の照射により試料１１から発せられた蛍光は、ダイクロイックミラー８を透過し、吸収フィルタ９で、不要な波長成分が除去された後、結像レンズ１８を介して撮像手段としてのＣＣＤカメラ１２の撮像面に結像され撮像される。
【００２３】
ここで、ＣＣＤカメラ１２には、例えば、Ｒｏｐｅｒ　Ｓｃｉｅｎｔｉｆｉｃ社製のＣｏｏＩＳＮＡＰ−Ｐｒｏ　ＭＯＮＯＣＨＲＯＭＥ　ＣＡＭＥＲＡが用いられている。勿論、ＣＣＤカメラ１２は、これに限らず、どのような撮像手段であってもよい。
【００２４】
ＣＣＤカメラ１２の画像データは、演算手段としての演算部１３に取り込まれる。演算部１３は、画像データから光強度を取り込んで光量むらを算出し、この結果を表示手段の表示部１４に表示し、最適な光源調整の評価を行うようになっている。
【００２５】
ここで、演算部１３での光強度の取り込みと光量むらの算出アルゴリズムについて簡単に説明する。
【００２６】
いま、ＣＣＤカメラ１２より撮像された画像データの平均強度値Ｉａｖｅと光量むら△Ｉを取得して、これら２つの値を使用して、最適な光源調整の評価を行うとすると、まず、ＣＣＤカメラ１２により取得した図２に示す画像Ａ中から、２０×２０＝４００箇所のポイントＢに着目する。ここでの１ポイントは、直径２０ピクセル（約１００μｍ）分の円領域とする。
【００２７】
そして、これら各ポイントＢ内での輝度値の平均値を求め、これをポイントＢ単位の光強度値とするとともに、これら４００個所のポイントＢの光強度値の平均を平均強度値Ｉａｖｅとして求める。
【００２８】
一方、光量むら△Ｉを、下記から求める。
【００２９】
△Ｉ＝｛（Ｉｍａｘ−Ｉｍｉｎ）／Ｉａｖｅ｝×１００　　［％］…（１）
ここで、Ｉａｖｅはある範囲における平均の光量値、Ｉｍａｘは、ある範囲における最高の光量値を、Ｉｍｉｎは、ある範囲における最小の光量値である。
【００３０】
（１）式は、△Ｉの値が小さいほど、むらがなく均一であることを表わしている。従って、この（１）式に、上述した４００個所のポイントＢから求めた平均強度値Ｉａｖｅの値を代入して光量むら△Ｉを算出することにより、照明光の光量むらの評価を行うことができる。また、このような光量むらの評価を、コレクタレンズ４を光軸に沿って移動させて多数の位置において行い、このうちで最高に評価される点を見つけ出すことで、最適な光源調整を行うことが可能である。
【００３１】
一例として、実験により算出した光量むら△Ｉと平均強度値Ｉａｖｅをプロットしたものとして図３に示すグラフが求められる。ここでは、フォーカス調整部３のレンズ保持部３ａをつまみ部３ｂの操作により、５°ずつ３６０°回転させ、それぞれの角度ごとにＣＣＤカメラ１２で撮像された画像を取得し、上述した（１）式を用いて、平均強度値Ｉａｖｅ（同図ａ）と光量むら△Ｉ（同図ｂ）を求めている。なお、図３のグラフにおいて横軸は、フォーカス調整部３のつまみ部３ｂの回転角度である。また、このときのつまみ部３ｂの回転角度に応じて、コレクタレンズ４は、同図ｃに示すように光軸に沿って前後方向に移動距離ｌを変化しながら移動する。
【００３２】
このグラフにおいて、ケーラー照明の条件は、むらがなく、輝度が高いことから、光量むら△Ｉが小さく、平均強度値Ｉａｖｅが大きい点を見つけ出すようにすれば、コレクタレンズ４の最適位置、つまり、光源２の像を対物レンズ１０の瞳１０ａ上に投影した状態にあるコレクタレンズ４の位置を求めることができる。
【００３３】
また、演算部１３は、このような結果を用いて、実際にフォーカス調整部３のつまみ部３ｂを回転操作するための操作基準となる、以下の２つのグラフを作成し、この結果を表示部１４に表示させる。
【００３４】
図４は、強度プロファイルを表示したグラフである。このグラフは、ＣＣＤカメラ１２から取り込んだ画像から任意に設定したある１方向の輝度分布を示したもので、このグラフにより、輝度分布の均一性を視覚的に数値として表示するようにしている。また、図５は、平均強度値Ｉａｖｅと光量むら△Ｉの関係を算出し、評価ポイントとして表示したものである。この算出結果から平均強度値Ｉａｖｅと光量むら△Ｉの関係が最小値（図示ｍ）を示すときが、最も光量むらの小さい状態であることを表わしている。
【００３５】
このような構成において、実際に光源調整を行う例を説明する。
【００３６】
この場合、試料１１として、蛍光部材、例えば均一な蛍光を発する蛍光基板を使用する。この蛍光基板には、例えば、住友化学製のスミペックス６５１（商品名）が用いられる。
【００３７】
この状態からの動作手順を図６に示すフローチャートに従い説明する。
【００３８】
まず、ステップ６０１で、光源調整を開始し、ステップ６０２で、シャッタ５を開放し、光源２より発せられコレクタレンズ４を通って平行光に変換された照明光を光路に導く。この光は、励起フィルタ７を介して励起光としてダイクロイックミラー８で反射し、対物レンズ１０を介して試料１１に照射される。
【００３９】
また、励起光の照射により試料１１から発せられた蛍光成分を、ダイクロイックミラー８を透過し、吸収フィルタ９を介してＣＣＤカメラ１２により、試料１１面の動画像として撮像する（ステップ６０３）。
【００４０】
次に、ステップ６０４で、フォーカス調整部３のレンズ保持部３ａをつまみ部３ｂの操作により所定角度（例えば５°程度）だけ回転し、コレクタレンズ４を光軸に沿って所定距離移動させる。
【００４１】
そして、この状態でも、コレクタレンズ４を通した光を、励起フィルタ７を介して試料１１に照射し、試料１１から発せられた蛍光をＣＣＤカメラ１２により取得し、画像データとして演算部１３に送出する。演算部１３では、この画像データから、平均強度値Ｉａｖｅと光量むら△Ｉを算出し、上述した強度プロファイルと評価ポイントを生成して、これらを一時保存する（ステップ６０６）。
【００４２】
次に、ステップ６０７により調整を終了したかを判断し、終了していなければ、ステップ６０４に戻り、再度フォーカス調整部３のつまみ部３ｂを所定角度回転し、コレクタレンズ４を光軸に沿って、さらに所定距離移動させる。
【００４３】
以下、同様にして、フォーカス調整部３のつまみ部３ｂを所定角度ずつ１回転（３６０°）させ、コレクタレンズ４を光軸に沿って所定距離前進させるとともに、この前進距離だけ後退させる。そして、これらコレクタレンズ４の各位置での画像データをＣＣＤカメラ１２により取得し、演算部１３により平均強度値Ｉａｖｅと光量むら△Ｉを算出し、それぞれの強度プロファイルと評価ポイントを保存する。
【００４４】
その後、このようにして得られた評価ポイントを図５に示すようなグラフとして表示部１４に表示させる。
【００４５】
作業者は、このグラフを参照して平均強度値Ｉａｖｅと光量むら△Ｉの関係が極小値を示す点ｍを、最も光量むらの小さい状態であると判断し、この判断結果に基づいてコレクタレンズ４の光軸方向の最適な位置を決定する。また、この位置での輝度分布の均一性を、図４に強度プロファイルのグラフにより視覚的に確認する。これにより、最適な光源調整を完了する。つまり、この状態で、光源２の像が対物レンズ１０の瞳１０ａ上に投影されるように、コレクタレンズ４の位置調整が行われたこととなる。
【００４６】
ステップ６０７で調整終了を判断すると、ステップ６０８に進み、シャッタ５を閉じて、ステップ６０９で光源調整を終了する。
【００４７】
その後、試料１１として、蛍光基板に代えてＤＮＡチップ１５を配置すれば、ケーラー照明による観察結果がＣＣＤカメラ１２により取得される。
【００４８】
従って、このようにすれば、コレクタレンズ４を光軸に沿って移動させたときの平均強度値Ｉａｖｅと光量むら△Ｉの関係を表わす評価ポイントのグラフ上から、最も光量むらの小さい状態を判断するのみで、コレクタレンズ４を光軸上の最適な位置に調整することができるので、定量的に光源調整を行うことができる。これにより、光源調整のための作業が極めて簡単であり、初めて調整を行う人や不慣れな人であっても、照明の最適な状態を正確に調整することができる。
【００４９】
なお、上述では、蛍光顕微鏡を用いたワンボックスタイプのアレイリーダーについて述べたが、ここに示した構成は一例であり、通常の蛍光顕微鏡や、明視野顕微鏡などで、同様な光源の調整装置を備えるものであれば適用できる。また、使用光源としては、例えば、水銀ランプ、キセノンランプ、メタルハライドランプなどが実施可能であり、これにより、使用されるフィルタなどの特性も任意に選択可能である。
【００５０】
また、上述では、フォーカス調整部３のレンズ保持部３ａをつまみ部３ｂにより１回転させてコレクタレンズ４の最適な位置を深すようにしたが、実験前にユーザーが必要な強度値の最低ラインを設定しておけば、その強度値以上になるコレクタレンズ４の位置で、光量むら△Ｉが最小値を示す位置を最適と判断することができる。このことは、図５に示すように極小値が２個所有るような場合に、誤って強度値の小さいほうを選んでしまうことを防ぐことができる。
【００５１】
さらに、前述の実施の形態では、平均輝度値として４００点を選択したが、選択する点は４００点に限らず、例えば、精度は多少落ちてしまうが計算速度を早くするために、選択する点数を少なくすることや、精度をより上げるために選択する点数を多くして、実施することも可能である。
【００５２】
さらに、最適な状態として、最も光量むらの小さくなる点（△Ｉが最も小さくなる点）を選択したが、使用状況によって、少しくらい暗くともむらが最小限にして使用したい場合や、少しむらがおおきくなってしまってもより明るくして使用したい場合の二つが選択されると考えられる。この場合、輝度優先、むら優先の重み付けのユーザ設定が必要であり、前述の実施の形態では、この選択が可能であり、ユーザーにとって最適な状態の設定を任意に行える。
【００５３】
さらに、前述の実施の形態においては、調整終了は、図５のグラフが極小値を示した状態を目視で判断したが、極小値を示した時に、演算部１３から音が出るようにして判断する方法を採用しても、同様な効果を得ることが可能である。これは、例えば表示部１４が遠くにあって見えにくいときにも、音を頼りに、つまみ部３ｂを操作すればよく、容易に調整が可能になるという効果がある。
【００５４】
さらに、フォーカス調整後に、不用意につまみ部３ｂを動かしてしまっても、図５のグラフを見ながら極小値を探すことで、調整し直すことができ、簡単に修正することが可能である。また、この方法により、コレクタレンズ４を同じ位置に戻すこともできるので、始めのフォーカス調整後とまったく同じ状態を簡単に再現することもできる。
【００５５】
（第２の実施の形態）
次に、本発明の第２の実施の形態を説明する。
【００５６】
図７は、第２の実施の形態の概略構成を示すもので、図１と同一部分には、同符号を付している。
【００５７】
この場合、図７は、図１に示した第１の実施の形態と異なるところは、透過型の顕微鏡の形態であることで、光源２より発せられた光は、コレクタレンズ４を通って平行光に変換され、シャッタ５を介して励起フィルタ７に入射される。この励起フィルタ７で取り出された励起光は、ＦＳ１７を介してミラー２１で反射し、窓レンズ１９、ＡＳ１６、コンデンサレンズ２０を介して試料１１に照射され、試料１１からの透過光が対物レンズ１０、吸収フィルタ９、結像レンズ１８を介してＣＣＤカメラ１２により撮像される。
【００５８】
このようにれば、第１の実施の形態と同様な効果を期待できるとともに、落射型の蛍光顕微鏡だけでなく、透過型の顕微鏡にも、本発明の光源調整装置を適用することができる。
【００５９】
（第３の実施の形態）
次に、本発明の第３の実施の形態を説明する。
【００６０】
図８は、第３の実施の形態の概略構成を示すもので、図１と同一部分には、同符号を付している。
【００６１】
この場合、ランプハウス１に設けられるフォーカス調整部３は、レンズ保持部３ａの回転を電動駆動するコレクタレンズ電動駆動手段として構成され、つまみ部に代わってモータ３１が設けられている。
【００６２】
モータ３１には、演算部１３が接続されている。演算部１３は、モータ３１に対して制御信号を送り、コレクタレンズ４の移動を制御することで、フォーカス調整を行うようになっている。
【００６３】
このような構成による動作手順を図９に示すフローチャートに従い説明する。
【００６４】
まず、ステップ９０１で、光源調整を開始し、ステップ９０２で、シャッタ５を開放し、光源２より発せられコレクタレンズ４を通って平行光に変換された照明光を光路に導く。
【００６５】
ステップ９０３で、演算部１３から制御信号をモータ３１に送り、レンズ保持部３ａを所定角度、例えば５°だけ回転させ、コレクタレンズ４を移動させる。ステップ９０４では、その位置での照明光により得られた試料１１の画像をＣＣＤカメラ１２により取り込む。そして、ステップ９０５で、この取り込んだ画像から、第１の実施の形態で述べた方法で、演算部１３にて演算を行い平均強度値Ｉａｖｅと光量むら△Ｉを算出し、これらを演算部１３内に一時保存する。
【００６６】
次に、ステップ９０６で、コレクタレンズ４の移動が全領域に及んだかを判断し、終了していなければ、ステップ９０３に戻り、演算部１３からモータ３１に制御信号を送り、再度フォーカス調整部３のレンズ保持部３ａを所定角度回転させ、コレクタレンズ４を移動させる。
【００６７】
以下、同様にして、モータ３１によりフォーカス調整部３のレンズ保持部３ａを所定角度ずつ１回転（３６０°）させ、コレクタレンズ４を光軸に沿って所定距離前進させるとともに、この前進距離だけ後退させる。そして、これらコレクタレンズ４の各位置での画像データをＣＣＤカメラ１２により取得し、演算部１３により平均強度値Ｉａｖｅと光量むら△Ｉを算出し、これらを演算部１３内に保存していく。
【００６８】
その後、ステップ９０６で、コレクタレンズ４の移動が全領域に及んだと判断されると、ステップ９０７に進み、シャッタ５を閉じ、画像取得を終了とする。
【００６９】
次に、ステップ９０８で、第１の実施の形態で述べたと同様にして、コレクタレンズ４の全領域の移動により取得された平均強度値Ｉａｖｅと光量むら△Ｉの関係を求めるとともに、これらの関係が極小値を示す点を求める。
【００７０】
そして、ステップ９０９で、このときの極小値に基づいて、モータ３１によりフォーカス調整部３のレンズ保持部３ａを回転させて、コレクタレンズ４を最適位置まで移動させ、ステップ９１０で光源調整を終了する。つまり、この状態で、光源２の像が対物レンズ１０の瞳１０ａ上に投影されるように、コレクタレンズ４の位置調整が行われたこととなる。
【００７１】
従って、このようにすれば、コレクタレンズ４の位置決めを、人の手を介さずに自動的に行い、最適な照明状態を得ることが可能となる。これにより、フォーカス調整部３のレンズ保持部３ａを手動操作できないような状況、例えば、レンズ保持部３ａのつまみ部に手が届かない場合や、ワンボックスタイプの装置内につまみ部が入ってしまったような場合においても、簡単に光源調整を行うことができる。
【００７２】
また、光源２の変更やミラーユニット（励起フィルタ７、ダイクロイックミラー８、吸収フィルタ９などを有するもの）の変更などによる照明状態の変化にも簡単に対応することが可能である。このことから、定期的に再調整するような測定ルーチンを立てることで、常に最適で、かつ、一定の照明状態での測定が実現できる。
【００７３】
なお、上述した第２の実施の形態では、平均強度値Ｉａｖｅと光量むら△Ｉの関係が最小値を示す位置を探すようにしたが、ユーザーがあらかじめ必要な最低強度値を設定しておくことで、その強度値以上になるコレクタレンズ４の位置で、光量むら△Ｉが最小値を示す位置を最適と判断するような方法でも実現可能である。これに加え、最低強度値を設定することにより、もしも極小値が２つあった場台も、確実に一方の状態を排除することが可能となる。
【００７４】
その他、本発明は、上記実施の形態に限定されるものでなく、実施段階では、その要旨を変更しない範囲で種々変形することが可能である。上述した実施の形態では、光源調整の際に、試料１１として均一な蛍光を発する蛍光基板としてプラスチック材料を用いていたが、これに代えて蛍光ガラス、オパールガラス、セラミック蛍光体などを用いることも可能である。これらは耐久性がよく、退色が少なく、性能が変化することが少ないという点を備え持ち、長期間使用することが可能である。特に、蛍光ガラスは、蛍光発光がどの部分においても均一であるため、より好ましい。さらに、蛍光ガラスにより励起波長を選ぶことが可能であるため、フィルターの特性までを考慮して光源調整が可能であるのも、大変よい点である。また、オパールガラスは、一般的な材料であり入手性がよく、安価であるという点で好ましい。
【００７５】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００７６】
【発明の効果】
以上述べたように本発明によれば、定量的に光源の調整を行うことができる光源調整装置を提供できる。
【図面の簡単な説明】
【図１】本発明の第１の実施の形態に適用される蛍光顕微鏡の概略構成を示す図。
【図２】第１の実施の形態において取得した画像から光強度値を取り出す際の測定点を配置した画像。
【図３】第１の実施の形態のつまみ部の回転角度に対する光量むらと平均強度値との関係の測定結果の一例を示す図。
【図４】第１の実施の取得画像から得られた強度プロファイルを表示するグラフの模式図。
【図５】第１の実施の形態の演算結果から平均強度値に対する光量むらの関係の測定結果の一例を示す図。
【図６】第１の実施の形態の動作を説明するためのフローチャート。
【図７】本発明の第２の実施の形態の概略構成を示す図。
【図８】本発明の第３の実施の形態の概略構成を示す図。
【図９】第３の実施の形態の動作を説明するためのフローチャート。
【符号の説明】
１…ランプハウス
２…光源
３…フォーカス調整部
３ａ…レンズ保持部
４…コレクタレンズ
５…シャッタ
６…リレーレンズ系
７…励起フィルタ
８…ダイクロイックミラー
９…吸収フィルタ
１０…対物レンズ
１１…試料
１２…ＣＣＤカメラ
１３…演算部
１４…表示部
１５…ＤＮＡチップ
２１…ミラー
３１…モータ
【図１】
2004021206.tif 000003
【図２】
2004021206.tif 000004
【図３】
2004021206.tif 000005
【図４】
2004021206.tif 000006
【図５】
2004021206.tif 000007
【図６】
2004021206.tif 000008
【図７】
2004021206.tif 000009
【図８】
2004021206.tif 000010
【図９】
2004021206.tif 000011